(57)【要約】【課題】  コンテンツのサイト情報の種類に応じたＷｅｂページの編集処理。【解決手段】  携帯端末８の機種固有の機種情報を管理するキャリア・サイト・サーバ１０と、機種情報を全機種情報ファイルとして格納する全機種情報ＤＢ６と、該全機種情報ＤＢ６を管理する機種情報管理サーバ５と、Ｗｅｂコンテンツを含むＷｅｂサーバ１他とを備える携帯端末機種情報配信システムであって、キャリア・サイト・サーバ１０に新機種情報の問い合わせを行い、この問い合わせにより取得した機種情報を、配信するＷｅｂサーバのＷｅｂコンテンツのサイト情報の種類に応じた配信形式に編集して全機種情報ＤＢ６に格納し、携帯端末８に配信するもの。【選択図】  図１
2006304104.tif 000002
【特許請求の範囲】
【請求項１】
携帯端末の機種固有の機種情報を有するキャリア・サイト・サーバと、前記機種情報を全機種情報ファイルとして格納する全機種情報データベースと、該全機種情報データベースの全機種情報ファイルを管理する機種情報管理サーバと、Ｗｅｂコンテンツを前記機種情報に応じて編集して発信するＷｅｂサーバとを備え、前記Ｗｅｂサーバに携帯端末の機種固有の機種情報を配信する携帯端末機種情報配信システムの携帯端末機種情報配信方法であって、前記機種情報管理サーバが、前記機種情報を、配信するＷｅｂサーバのＷｅｂコンテンツのサイト情報の種類に応じた配信形式に編集することを特徴とする携帯端末機種情報配信方法。
【請求項２】
前記請求項１記載の携帯端末機種情報配信方法において、全機種情報データベースにＷｅｂサーバ毎のサイト情報を格納し、機種情報管理サーバが、前記全機種情報データベースに格納したサイト情報並びに機種情報を参照し、配信するＷｅｂサーバのＷｅｂコンテンツのサイト情報の種類並びに機種情報に応じた配信形式に編集することを特徴とする携帯端末機種情報配信方法。
【請求項３】
前記請求項１又は２記載の携帯端末機種情報配信方法において、機種情報管理サーバが、前記キャリア・サイト・サーバに格納された携帯端末の新機種の発売情報を監視し、新機種の発売情報があるときに該新機種の機種情報をキャリア・サイト・サーバから取得することを特徴とする携帯端末機種情報配信方法。
【請求項４】
前記請求項３記載の携帯端末機種情報配信方法において、機種情報管理サーバが、前記取得した新機種の機種情報を、配信するＷｅｂサーバのＷｅｂコンテンツのサイト情報の種類並びに機種情報に応じた配信形式に編集して全機種情報データベースに格納し、Ｗｅｂサーバに配信することを特徴とする携帯端末機種情報配信方法。
【請求項５】
前記請求項１〜４何れかに記載の携帯端末機種情報配信方法において、前記携帯端末からＷｅｂサーバのＷｅｂコンテンツに要求があったときに前記問い合わせのあった携帯端末の機種情報がＷｅｂサーバに配信されていない場合、機種情報管理サーバが、前記問い合わせのあった機種情報を前記Ｗｅｂサーバに配信することを特徴とする携帯端末機種情報配信方法。
【請求項６】
前記請求項１〜５何れかに記載の携帯端末機種情報配信方法において、機種情報管理サーバが、前記Ｗｅｂコンテンツのサイト情報の種類並びに機種情報に応じた配信形式に編集するとき、サイト情報の種類が音楽サイトの場合、"和音"情報を含み且つ"画像"情報を削除する配信形式に編集することを特徴とする携帯端末機種情報配信方法。
【請求項７】
Ｗｅｂサーバに携帯端末の機種固有の機種情報を配信する携帯端末機種情報配信システムであって、
携帯端末の機種固有の機種情報を有するキャリア・サイト・サーバと、前記機種情報を全機種情報ファイルとして格納する全機種情報データベースと、該全機種情報データベースの全機種情報ファイルを管理する機種情報管理サーバと、Ｗｅｂコンテンツを前記機種情報に応じて編集して発信するＷｅｂサーバとを備え、前記機種情報管理サーバが、前記機種情報を、配信するＷｅｂサーバのＷｅｂコンテンツのサイト情報の種類に応じた配信形式に編集することを特徴とする携帯端末機種情報配信システム。
【請求項８】
前記請求項７記載の携帯端末機種情報配信システムにおいて、全機種情報データベースが、Ｗｅｂサーバ毎のサイト情報を格納する機能を有し、機種情報管理サーバが、前記全機種情報データベースに格納したサイト情報並びに機種情報を参照し、配信するＷｅｂサーバのＷｅｂコンテンツのサイト情報の種類並びに機種情報に応じた配信形式に編集する機能を有することを特徴とする携帯端末機種情報配信システム。
【請求項９】
前記請求項７又は８記載の携帯端末機種情報配信システムにおいて、機種情報管理サーバが、前記キャリア・サイト・サーバに格納された携帯端末の新機種の発売情報を監視する機能と、新機種の発売情報があるときに該新機種の機種情報をキャリア・サイト・サーバから取得する機能を備えることを特徴とする携帯端末機種情報配信システム。
【請求項１０】
前記請求項９記載の携帯端末機種情報配信システムにおいて、機種情報管理サーバが、前記取得した新機種の機種情報を、配信するＷｅｂサーバのＷｅｂコンテンツのサイト情報の種類並びに機種情報に応じた配信形式に編集して全機種情報データベースに格納し、Ｗｅｂサーバに配信する機能を有することを特徴とする携帯端末機種情報配信システム。
【請求項１１】
前記請求項６〜１０何れかに記載の携帯端末機種情報配信システムにおいて、機種情報管理サーバが、前記携帯端末からＷｅｂサーバのＷｅｂコンテンツに要求があったときに前記問い合わせのあった携帯端末の機種情報がＷｅｂサーバに配信されていない場合、前記問い合わせのあった機種情報を前記Ｗｅｂサーバに配信する機能を有することを特徴とする携帯端末機種情報配信システム。
【請求項１２】
前記請求項６〜１１何れかに記載の携帯端末機種情報配信システムにおいて、機種情報管理サーバが、前記Ｗｅｂコンテンツのサイト情報の種類並びに機種情報に応じた配信形式に編集するとき、サイト情報の種類が音楽サイトの場合、"和音"情報を含み且つ"画像"情報を削除する配信形式に編集する機能を有することを特徴とする携帯端末機種情報配信システム。
【発明の詳細な説明】
【技術分野】
【０００１】
本発明は、携帯電話機やＰＤＡ（Ｐｅｒｓｏｎａｌ  Ｄｉｇｉｔａｌ  Ａｓｓｉｓｔａｎｔｓ）などの携帯端末向けにコンテンツ変換を行う携帯端末機種情報配信方法及び携帯端末機種情報配信システムに係り、特にパーソナルコンピュータ（ＰＣ）向けのＷｅｂページのコンテンツを携帯端末向けコンテンツに変換する際に必要となる携帯端末の機種情報を提供することができる携帯端末機種情報配信方法及び携帯端末機種情報配信システムに関する。
【背景技術】
【０００２】
一般にパーソナルコンピュータ（ＰＣ）向けのＷｅｂページは、ＰＣ用ブラウザの特性を考慮してＰＣ向けに作成されており、このようなＷｅｂページ（コンテンツ）を小型の表示画面をもつ携帯端末で表示するためには、その携帯端末向けのデータ記述形式／データ容量／画面サイズ等を考慮して当該携帯端末の個別仕様に合わせて変換処理を行う必要がある。
【０００３】
尚、前記携帯端末の個別仕様に合わせてＰＣ向けのＷｅｂページ変換処理を行う技術が記載された文献としては下記特許文献が挙げられ、この文献にはＷｅｂサーバにおいてサポートしている携帯端末毎の個別情報を機種情報データベースとして保持することが記載されている。
【特許文献１】特開２００３−２７１５０８号公報
【発明の開示】
【発明が解決しようとする課題】
【０００４】
前記特許文献に記載されている携帯端末に合わせてＰＣ向けのＷｅｂページ変換処理を行う技術は、携帯端末毎の変換用個別情報を機種情報データベースにおいて更新しなければならず、人的及び時間的負担が大きいと言う不具合があった。即ち、携帯端末、例えば携帯電話は複数のキャリアから数ヶ月毎に新機種が発売され、ＰＤＡにおいても世界中のメーカから多種多様のＰＤＡが発売されており、また携帯端末毎の個別情報は、各Ｗｅｂサーバ毎に作成管理していることとあいまって、これら多種多様の携帯端末毎の個別情報を機種情報データベースとして保持することは実質上困難であると言う不具合があった。
【０００５】
また、従来技術によるＷｅｂページ変換／編集処理は、配信するサイト情報の種類、例えば、画像表示は不要且つ和音が必要な音楽サイトの特性、和音が不要な予約サイトの特性、和音／画像／絵文字／Ｊａｖａ（登録商標）アプリが必要な情報提供サイトの特性又はゲームサイトの特性を考慮しておらず、そのＷｅｂのコンテンツに応じたサイト情報の種類に応じた変換／編集処理を行うものではないため、ユーザにとっては必要且つ充分なコンテンツの提供を受けることが困難であると言う不具合も有った。
【０００６】
本発明の目的は、前述の従来技術による不具合を除去することであり、携帯端末毎の機種情報を一元管理し、各Ｗｅｂサーバへ配信することができる携帯端末機種情報配信方法及び携帯端末機種情報配信システムを提供することである。本発明の他の目的は、コンテンツのサイト情報の種類に応じたＷｅｂページ変換／編集処理を行うことができる携帯端末機種情報配信方法及び携帯端末機種情報配信システムを提供することである。
【課題を解決するための手段】
【０００７】
前記目的を達成するために本発明による携帯端末機種情報配信方法は、携帯端末の機種固有の機種情報を有するキャリア・サイト・サーバと、前記機種情報を全機種情報ファイルとして格納する全機種情報データベースと、該全機種情報データベースの全機種情報ファイルを管理する機種情報管理サーバと、Ｗｅｂコンテンツを前記機種情報に応じて編集して発信するＷｅｂサーバとを備え、前記Ｗｅｂサーバに携帯端末の機種固有の機種情報を配信する携帯端末機種情報配信システムの携帯端末機種情報配信方法において、前記機種情報管理サーバが、前記機種情報を、配信するＷｅｂサーバのＷｅｂコンテンツのサイト情報の種類に応じた配信形式に編集することを第１の特徴とする。
【０００８】
また本発明は、前記特徴１記載の携帯端末機種情報配信方法において、全機種情報データベースにＷｅｂサーバ毎のサイト情報を格納し、機種情報管理サーバが、前記全機種情報データベースに格納したサイト情報並びに機種情報を参照し、配信するＷｅｂサーバのＷｅｂコンテンツのサイト情報の種類並びに機種情報に応じた配信形式に編集することを第２の特徴とし、前記特徴１又は２記載の携帯端末機種情報配信方法において、機種情報管理サーバが、前記キャリア・サイト・サーバに格納された携帯端末の新機種の発売情報を監視し、新機種の発売情報があるときに該新機種の機種情報をキャリア・サイト・サーバから取得することを第３の特徴とする。
【０００９】
更に本発明は、前記特徴３記載の携帯端末機種情報配信方法において、機種情報管理サーバが、前記取得した新機種の機種情報を、配信するＷｅｂサーバのＷｅｂコンテンツのサイト情報の種類並びに機種情報に応じた配信形式に編集して全機種情報データベースに格納し、Ｗｅｂサーバに配信することを第４の特徴とし、前記特徴１〜４何れかに記載の携帯端末機種情報配信方法において、前記携帯端末からＷｅｂサーバのＷｅｂコンテンツに要求があったときに前記問い合わせのあった携帯端末の機種情報がＷｅｂサーバに配信されていない場合、機種情報管理サーバが、前記問い合わせのあった機種情報を前記Ｗｅｂサーバに配信することを第５の特徴とし、前記特徴１〜５何れかに記載の携帯端末機種情報配信方法において、機種情報管理サーバが、前記Ｗｅｂコンテンツのサイト情報の種類並びに機種情報に応じた配信形式に編集するとき、サイト情報の種類が音楽サイトの場合、"和音"情報を含み且つ"画像"情報を削除する配信形式に編集することを第６の特徴とする。
【００１０】
また本発明は、Ｗｅｂサーバに携帯端末の機種固有の機種情報を配信する携帯端末機種情報配信システムにおいて、携帯端末の機種固有の機種情報を有するキャリア・サイト・サーバと、前記機種情報を全機種情報ファイルとして格納する全機種情報データベースと、該全機種情報データベースの全機種情報ファイルを管理する機種情報管理サーバと、Ｗｅｂコンテンツを前記機種情報に応じて編集して発信するＷｅｂサーバとを備え、前記機種情報管理サーバが、前記機種情報を、配信するＷｅｂサーバのＷｅｂコンテンツのサイト情報の種類に応じた配信形式に編集することを第７の特徴とする。
【００１１】
また本発明は、前記特徴７記載の携帯端末機種情報配信システムにおいて、全機種情報データベースが、Ｗｅｂサーバ毎のサイト情報を格納する機能を有し、機種情報管理サーバが、前記全機種情報データベースに格納したサイト情報並びに機種情報を参照し、配信するＷｅｂサーバのＷｅｂコンテンツのサイト情報の種類並びに機種情報に応じた配信形式に編集する機能を有することを第８の特徴とし、前記特徴７又は８記載の携帯端末機種情報配信システムにおいて、機種情報管理サーバが、前記キャリア・サイト・サーバに格納された携帯端末の新機種の発売情報を監視する機能と、新機種の発売情報があるときに該新機種の機種情報をキャリア・サイト・サーバから取得する機能を備えることを第９の特徴とする。
【００１２】
更に本発明は、前記特徴９記載の携帯端末機種情報配信システムにおいて、機種情報管理サーバが、前記取得した新機種の機種情報を、配信するＷｅｂサーバのＷｅｂコンテンツのサイト情報の種類並びに機種情報に応じた配信形式に編集して全機種情報データベースに格納し、Ｗｅｂサーバに配信する機能を有することを第１０の特徴とし、前記特徴６〜１０何れかに記載の携帯端末機種情報配信システムにおいて、機種情報管理サーバが、前記携帯端末からＷｅｂサーバのＷｅｂコンテンツに要求があったときに前記問い合わせのあった携帯端末の機種情報がＷｅｂサーバに配信されていない場合、前記問い合わせのあった機種情報を前記Ｗｅｂサーバに配信する機能を有することを第１１の特徴とし、前記特徴６〜１１何れかに記載の携帯端末機種情報配信システムにおいて、機種情報管理サーバが、前記Ｗｅｂコンテンツのサイト情報の種類並びに機種情報に応じた配信形式に編集するとき、サイト情報の種類が音楽サイトの場合、"和音"情報を含み且つ"画像"情報を削除する配信形式に編集する機能を有することを第１２の特徴とする。
【発明の効果】
【００１３】
本発明による携帯端末機種情報配信方法及び携帯端末機種情報配信システムは、機種情報管理サーバキャリア・サイト・サーバに新機種情報の問い合わせを行い、機種情報並びにサイト情報の種類に応じた変換／編集処理を行って全機種情報データベースに格納しておき、該新機種情報を登録していないＷｅｂサーバに対して新機種情報を提供することによって、携帯端末がＷｅｂサーバのコンテンツをサイト情報の種類に応じて表示することができる。
【発明を実施するための最良の形態】
【００１４】
以下、本発明による携帯端末機種情報配信方法を適用した携帯端末機種情報配信システムの一実施形態を図面を参照して詳細に説明する。図１は本実施形態による携帯端末向けＷｅｂサーバへの機種情報配信システムの構成例を示す図、図２はＷｅｂサーバの機能ブロック図、図３は機種情報管理サーバの機能ブロック図、図４は全機種情報データベースの携帯端末機種固有の情報である全機種情報ファイル例を示す図、図５は機種情報配信契約画面例を示す図、図６は該機種情報配信契約画面例を使用して作成される全機種情報データベースサイトデータファイル例を示す図、図７は通信電文形式の一例を示す図、図８は機種情報管理サーバの一連の処理の流れを示す図、図９は機種情報管理サーバの新機種問合せ処理の詳細フローを示す図、図１０は機種情報管理サーバの機種問合せ応答処理の詳細フローを示す図、図１１はＷｅｂサーバ種類毎の機種情報ファイル例を示す図、図１２は新機種情報フォーマットと新機種情報ファイル例を示す図、図１３は参照したＷｅｂサーバのコンテンツのＷｅｂページ画面例を示す図、図１４はＷｅｂページを検索する為のキーワードとサイト情報との対応の表例を示す図である。
<構成説明>
【００１５】
本実施形態による機種情報配信システムは、図１に示す如く、ＴＣＰ／ＩＰをベースとするインターネット等のネットワーク９と、携帯端末機種固有の機種情報ファイルとＷｅｂコンテンツを持ったＷｅｂサーバ１及び２と、該Ｗｅｂサーバ１及び２に接続され、携帯端末機種固有の機種情報ファイルとＷｅｂコンテンツを格納する機種情報データベース３及び４と、携帯端末機種固有の機種情報の全機種情報ファイルを管理するための機種情報管理サーバ５と、該機種情報管理サーバ５に接続され、携帯端末機種固有の機種情報の全機種情報ファイル及びＷｅｂサーバ情報のサイトデータファイル格納する全機種情報データベース６と、前記ネットワーク９にデータセンタ７を介して接続される携帯電話／ＰＨＳ／ＰＤＡ等の携帯端末８と、キャリア（携帯端末通信運営会社）のホームページを運用するキャリア・サイト・サーバ１０とを備える。尚、前記各構成は例示的な図示にすぎず、多数のＷｅｂサーバその他の構成がネットワーク９を介して接続されていることは言うまでもない。
【００１６】
前記Ｗｅｂサーバ１及び２は、図２に示す機能ブロックの如く、Ｗｅｂのブラウザ／メール／データ参照などのアプリケーションソフト１１１と、入出力制御／イベント通知／アプリケーションの起動／終了などのスケジュール管理を行うオペレーティングシステム（ＯＳ）１１２と、ＬＡＮインターフェースを制御するドライバやＴＣＰ／ＩＰプロトコル制御等を含む通信制御部１１３と、キーボードやマウスなどの入力制御を行うドライバ等を含む入力制御部１１４と、表示装置（ＤＩＳＰ）を制御する表示ドライバ／ビデオメモリ管理等を含む表示制御部１１５と、コンテンツ参照要求時に後述の機種情報管理部１１７及びＷｅｂコンテンツ変換部１１８を制御し、各携帯端末の機種情報を用いてＷｅｂコンテンツを各携帯端末対応に変換処理を行うＷｅｂコンテンツ制御部１１６と、携帯端末の固有機種情報を管理し、Ｗｅｂコンテンツ制御部１１６からの機種名情報を受け取り、機種情報データベース３／４を検索して携帯端末の機種情報をＷｅｂコンテンツ制御部１１６を経由してＷｅｂコンテンツ変換部１１８へ渡す機種情報管理部１１７と、機種情報データベース３／４からＷｅｂコンテンツを読出し、機種情報管理部１１７からの各携帯端末の機種情報を用いてＷｅｂコンテンツを各携帯端末対応の変換処理を行ってＷｅｂコンテンツ制御部１１６に渡すＷｅｂコンテンツ変換部１１８とから構成される。
【００１７】
前記機種情報管理サーバ５は、図３の機能ブロックに示す如く、Ｗｅｂ参照／メール制御／データ参照などのアプリケーションソフト２１１と、入出力制御／イベント通知／アプリケーションの起動・終了等のスケジュール管理を行うオペレーティングシステム（ＯＳ）２１２と、ＬＡＮインターフェースを制御するドライバやＴＣＰ／ＩＰプロトコル制御等を含む通信制御部２１３と、新機種情報制御部２１５及び機種情報配信制御部２１６を制御し、携帯端末機種固有の機種情報の管理や機種情報をＷｅｂサーバ１及び２へ配信する機種情報制御部２１４と、各キャリアが新機種の携帯端末を発売する情報を監視し、発売される新機種の固有情報を取得し、機種情報ファイルを作成し、全機種情報データベース６の全機種情報ファイルに統合処理を行う新機種情報制御部２１５と、全機種情報データベース６の全機種情報ファイルの機種情報を全機種情報データベース６のサイトデータファイルのＷｅｂサーバ毎の配信形式やサイト情報を参照し、編集してＷｅｂサーバ毎の機種情報ファイルを作成し、該作成した機種情報ファイルをＷｅｂサーバ１及び２へ配信する機種情報配信制御部２１６と、Ｗｅｂサーバのユーザ登録処理、及び、サイトデータファイルの管理を行うサイト情報制御部２１７とから構成される。
【００１８】
前記全機種情報データベース６の携帯端末機種固有の情報である全機種情報ファイルは、一例を図４に示す如く、携帯端末の発売日の情報を示す日付フィールド４０１と、携帯端末の通信をサポートする電話網を有する通信業者名を示すキャリア名フィールド４０２と、携帯端末の機種名を示す機種フィールド４０３と、携帯端末がサポートしている言語の形式を示すブラウザフィールド４０４と、携帯端末がサポートしている画像処理の形式を示す画像フォーマットフィールド４０５と、携帯端末が表示できる最大サイズを示している表示サイズフィールド４０６と、携帯端末が表示できる文字数を横方向、縦方向について示す表示文字数フィールド４０７と、携帯端末がサポートしている絵文字の種類数を示す絵文字フィールド４０８と、携帯端末がサポートしている色数を示す色数フィールド４０９と、携帯端末が内臓しているキャッシュメモリ容量を示すキャッシュ容量フィールド４１０と、携帯端末がサポートしているＪａｖａ(登録商標)アプリケーションプログラムの種類を示すＪａｖａ(登録商標)アプリフィールド４１１と、携帯端末が持っているＪａｖａ(登録商標)アプリで使用出来る各種メモリ容量を示すＪＡＲ／データサイズフィールド４１２と、携帯端末がサポートしている和音数を示す和音フィールド４１３とから構成され、これら携帯端末機種固有情報は、ＰＣ向けのＷｅｂページのコンテンツを携帯端末向けコンテンツに変換する際に必要な情報である。尚、表示サイズフィールド４０６は、本実施例では記述していないが、２画面を有している機種では、各画面の表示サイズの情報を有する。
【００１９】
本システムは、携帯端末の機種固有情報が必要なＷｅｂサーバの運営者がＷｅｂサーバ１より機種情報管理サーバ５にアクセスしたとき、機種情報配信契約画面５００をＷｅｂサーバ１の画面に表示するものであり、この機種情報配信契約画面は、図５に示す如く、Ｗｅｂサーバ名を設定するＷｅｂサーバ名入力エリア５０１と、Ｗｅｂサーバ１のコンテンツアドレスを入力するＷｅｂサーバＵＲＬ入力エリア５０２と、ラジオボタン５０４をクリックすることによりクレジットカード会社名リストを表示し、その中からクレジットカード会社を選択入力するためのクレジットカード会社表示エリア５０３と、クレジットカード番号を入力するためのクレジットカード番号入力エリア５０５と、クレジットカードの有効期限を入力するためのカード有効期限入力エリア５０６と、Ｗｅｂサーバのメールアドレスを入力するためのメールアドレス入力エリア５０７と、この入力したＷｅｂサーバのメールアドレスを再入力する確認用メールアドレス入力エリア５０８と、選択により利用期間を６ヶ月又は１年を指定するための利用期間チェックマーク入力エリア５０９及び５１０と、ラジオボタン５１２をクリックすると配信形式内容（自動配信、問合せ配信）を表示し、どちらかを選択する配信形式表示エリア５１１と、押下により前述の入力した内容を安全を考慮して暗号化（ＳＳＬ）して機種情報管理サーバ５へ送り、全機種情報データベース６のサイトデータファイルに登録する登録ボタン５１３と、登録を中止する場合に押下し処理を終了するキャンセルボタン５１４とを備える。尚、前記ラジオボタンによる選択は、自動配信を選択したときは、携帯端末の新機種情報が採取される度にＷｅｂサーバへ機種情報を配信し、問合せ配信を選択したときは、Ｗｅｂサーバからの機種情報問合せ要求に対して問合せた機種の機種情報を配信する機能を有する。
【００２０】
前記機種情報配信契約画面５００を用いて入力した全機種情報データベース６のサイトデータファイルは、図６に示す如く、Ｗｅｂサーバ名６０１と、クレジットカードの確認後に決定されるパスワード６０２と、ＷｅｂサーバＵＲＬ（Ｗｅｂサーバのコンテンツアドレス）６０３と、クレジットカードの確認後に設定され、ユーザの契約内容が有効の場合に「１」／無効の場合に「０」が設定され、Ｗｅｂサーバへの配信の時に本有効フラグを調べ、「１」（有効）のユーザだけに配信処理を実施する有効フラグ６０４と、機種情報配信サービスの契約期間６０５と、クレジットカード会社名６０６と、クレジットカード番号６０７と、Ｗｅｂサーバのメールアドレス６０８と、Ｗｅｂサーバの種類を示し、Ｗｅｂサーバに必要な機種情報を選択する（選択される機種情報を括弧内に記述している）ためのサイト情報６０９とを備える。
【００２１】
前記各構成で通信される通信電文の形式は、図７に示す如く、内容（横軸）が、ソースＩＰアドレス７０１、デスティネーションＩＰアドレス７０２、コマンド７０３、コンテンツ７０５から成り、電文の種類（縦軸）が、ユーザ登録７１１、ユーザ登録完了７１２、新機種情報問合せ７１３、新機種情報問合せ結果７１４、新機種情報配信７１５、アクセス要求７１６、アクセス結果７１７、機種情報問合せ７１８、機種情報問合せ結果７１９から成る。
【００２２】
この図７に示した電文形式は、電文の種類（横軸）に対応して電文の内容（縦軸）に設定される各種情報を示しており、ソースＩＰアドレス７０１／デスティネーションＩＰアドレス７０２がＴＣＰ／ＩＰプロトコルにおける送信元のアドレスや送信先のアドレスを指定し、コマンドが電文の種類／性質を示し、これら情報によってコンテンツの内容として何を含むかを決めることができる。
【００２３】
図７中に示したユーザ登録７１１は、各Ｗｅｂサーバで携帯端末の機種固有情報の配信サービスが必要な場合に機種情報管理サーバ５と各Ｗｅｂサーバの間で機種情報配信契約を行う為のユーザ登録を行う電文であり、コンテンツ７０５として機種情報配信契約内容（図５で入力した内容）が含まれる。ユーザ登録完了７１２は、ユーザ登録結果を報告する電文であり、コンテンツには登録完了／パスワード／登録不可／理由が含まれる。新機種情報問合せ７１３は、各キャリア（携帯端末通信運営会社）毎に新規に発売される機種情報の問合せを行う電文であり、コンテンツ７０５には新機種情報フォーマット（図１２参照）が含まれる。新機種情報問合せ結果７１９は、各キャリアより新機種情報問合せ結果を報告する電文であり、コンテンツには新機種発売有無と新機種情報（図１２参照）が含まれる。新機種情報配信７１５は、各Ｗｅｂサーバへ機種情報を配信する電文であり、コンテンツ７０５には各Ｗｅｂサーバで必要な機種情報（サイト種類により機種情報の内容が異なる。図１１参照）が含まれる。アクセス要求７１６は、各携帯端末から各Ｗｅｂサーバの参照などの要求を示す電文であり、コンテンツ７０５にはＷｅｂサーバコンテンツのパス情報、機種名情報などが含まれる。アクセス結果７１７は、要求携帯端末へＷｅｂコンテンツを送信する電文であり、コンテンツ７０５には要求される携帯端末で表示出来るように変換されたＷｅｂコンテンツが含まれる。機種情報問合せ７１８は、Ｗｅｂサーバから携帯端末への機種情報を問合せする電文であり、コンテンツ７０５にはＷｅｂサーバ名／パスワード／機種名などが含まれる。機種情報問合せ結果７１９は、Ｗｅｂサーバへ機種情報問合せ結果を報告する電文であり、コンテンツ７０５には問合せされた機種名の機種情報（サイト種類により機種情報の内容が違う、図１１参照）が含まれる。
【００２４】
本実施形態による機種情報配信システムが適用されるＷｅｂサーバに対応した携帯端末の機種情報は、図１１に示す如く、大別して、キャリア名／機種／ブラウザ／表示サイズ／表示文字数／色数／キャッシュ容量／和音数を含む音楽サイト機種情報と、キャリア名／機種／ブラウザ／画像フォマット／表示サイズ／表示文字数／色数／キャッシュ容量を含む予約サイト機種情報と、キャリア名／機種／ブラウザ／画像フォマット／表示サイズ／表示文字数／絵文字／色数／キャッシュ容量／Ｊａｖａ（登録商標）アプリ／ＪＲＡデータサイズを含む情報サイト機種情報と、キャリア名／機種／ブラウザ／画像フォマット／表示サイズ／表示文字数／絵文字／色数／キャッシュ容量／Ｊａｖａ（登録商標）アプリ／ＪＲＡデータサイズ／和音数を含むゲームサイト機種情報とに分けられ、これら情報は全機種情報データベース６に格納される。即ち、Ｗｅｂのコンテンツは、そのサイト情報の種類（音楽サイト／予約サイト／情報サイト／ゲームサイト等）に大別される。
【００２５】
また新機種データ項目としては、図１２上段に示す如く、日付／キャリア名／機種／ブラウザ／画像フォマット／表示サイズ／表示文字数／絵文字／色数／キャッシュ容量／Ｊａｖａ（登録商標）アプリ／ＪＡＲデータサイズ／和音数の各項目から成り、具体的情報としては図１２下段に示す通りである。
【００２６】
また、本実施形態の対象となるＷｅｂページは、例えば図１３に示す如く、「オンラインで予約できます」、「予約はこちらから」等のＷｅｂページに含まれるテキスト文中のキーワード１３０１を含み、前述の携帯端末の機種情報との対応は、図１４に示す如く、サイト種１４１０〜１４１３（ゲーム／予約／曲名、メロメディ、着メロ、着うた／情報、天気、ニュース、案内）に応じてキーワードの有無又はキーワードの有無が関係するか否かの関係を○×−で表される。
<動作説明>
【００２７】
さて、このように構成された本実施形態による機種情報配信システムの機種情報管理サーバ５は、既に発売済みの携帯端末の機種固有情報の全機種情報ファイルが図４に示した形式で作成され、既に全機種情報データベース６内に構築格納されているとき、図８に示す如く、Ｗｅｂサーバ１が携帯端末の機種固有情報の配信サービスが必要な場合、機種情報管理サーバ５とＷｅｂサーバ１の間で、機種情報配信契約を行う為にＷｅｂサーバ１より機種情報管理サーバ５にアクセスすると機種情報配信契約画面５００（図５）がＷｅｂサーバ１の画面に表示され、必要事項を入力し登録ボタン５１３の押下により"ユーザ登録"電文が機種情報管理サーバ５に送信する処理（ステップＳ８２１）を実行する。
【００２８】
これを受けた機種情報管理サーバ５は、図６に示した形式で新規サイトデータファイルを作成し、次いでユーザ登録された配信サービス利用料金の支払い情報の確認を行なう。本実施形態例では、クレジットカードを例にしているので、確認処理がクレジットカード会社に対して行われる。
【００２９】
この確認処理が終了し、合格ならば本システムは、作成した新規サイトデータファイルの有効フラグの設定（「１（有効）」）及びパスワードを設定し、この設定情報を、全機種情報データベース６に既に格納されているサイトデータファイルに統合して格納し、前記確認処理において不合格と判定された場合、作成した新規サイトデータファイルを抹消するユーザ登録処理（ステップＳ８１１）を実行する。
【００３０】
次に機種情報管理サーバ５は、"ユーザ登録完了"電文を作成し、Ｗｅｂサーバ１へ送信する。この電文のコンテンツには、ユーザ登録の処理結果である登録完了とパスワード、又は、登録不可と理由が含まれる。
【００３１】
このユーザ登録終了後に機種情報管理サーバ５は、登録されたＷｅｂサーバＵＲＬ６０３（図６）を用いてＷｅｂサーバを参照し、配信契約したＷｅｂサーバが、どのような機種情報が必要かＷｅｂサーバをキーワードを用いて検索し、Ｗｅｂサーバに必要な機種情報の種類やサイト情報を決定し、全機種情報データベース６に既に格納されているサイトデータファイルの配信契約したＷｅｂサーバのサイト情報６０９に決定したサイト情報に登録（ステップＳ８１２）し、次いで機種情報管理サーバ５から各キャリアに毎日"新機種情報問合せ７１３"電文を送信する問い合わせ処理（ステップＳ８１３）を実行する。前記"新機種情報問合せ７１３"電文を受信したキャリアは、これに応じた"新機種情報問合せ結果７１４"電文を返信する回答処理（ステップＳ８０１）を行い、これを受けた機種情報管理サーバ５は、受信した機種情報を全機種情報データベース６に格納されている全機種情報ファイルに統合する。前記ステップＳ８０１は、各キャリアが"新機種情報問合せ７１３"電文を受信し、新規携帯端末の発売予定がある場合機種情報フォーマットに新規携帯端末の情報を入力し、機種情報を作成し、"新機種情報問合せ結果７１４"電文として機種情報管理サーバ５へ送信する処理である。
【００３２】
次いで機種情報管理サーバ５は、各キャリアより"新機種情報問合せ結果７１４"電文を受信し、受信した機種情報を全機種情報データベース６に格納されているサイトデータファイルのサイト情報６０９を参照して、各Ｗｅｂサーバ用の機種情報（図１１参照）を編集作成し、"機種情報配信７１５"電文として各Ｗｅｂサーバへ送信する（ステップＳ８１４）。
【００３３】
これを受けたＷｅｂサーバは、受信した機種情報を、機種情報データベース３の機種情報ファイルに統合し格納する処理（ステップＳ８２２）を実行、各携帯端末８でＷｅｂサーバ参照時、Ｗｅｂサーバコンテンツのパス情報／機種名情報を付加して"アクセス要求７１６"電文をＷｅｂサーバへ送信する処理（ステップＳ８３１）を行い、次いで受信した機種名情報を基に機種情報データベース３の機種情報ファイルを検索処理（ステップＳ８２３）し、この検索の結果、機種情報データベース３の機種情報ファイルに機種情報が無い場合、Ｗｅｂサーバ名／パスワード／機種名を付加した"機種情報問合せ７１３"電文を作成し、機種情報管理サーバ５へ送信処理（ステップＳ８２４）し、前記検索結果、機種情報データベース３の機種情報ファイルに機種情報がある場合は、Ｗｅｂコンテンツ機種別変換処理（ステップＳ８２５）を実行する。
【００３４】
前記機種情報問い合わせを受けた機種情報管理サーバ５は、受信した"機種情報問合せ７１３"電文の機種名情報を基に、全機種情報データベース６に格納されている全機種情報ファイルを参照し、一致した機種情報をサイトデータファイルのサイト情報に従い、Ｗｅｂサーバ用の機種情報（図１１参照）を編集作成し、"機種情報問合せ結果７１４"電文としてＷｅｂサーバへ送信（ステップＳ８１５）する。これを受けたＷｅｂサーバは、受信した機種情報を機種情報データベース３の機種情報ファイルに統合し格納すると共に、アクセス要求の有ったＷｅｂコンテンツを機種情報データベース３を参照し、機種情報を基に携帯端末に表示できるように機種別変換処理を施し、携帯端末Ｗｅｂコンテンツを作成し、"アクセス結果７１７"電文として携帯端末へ送信する（ステップＳ８２５）。これを受けた携帯端末８は、受信したＷｅｂコンテンツを表示することができる（ステップＳ８３２）。
【００３５】
この様に本実施形態による機種情報配信システムは、機種情報管理サーバ５がキャリアに新機種情報の問い合わせを行って全機種情報データベース６に格納しておき、該新機種情報を登録していないＷｅｂサーバに対して新機種情報を提供することによって、携帯端末８がＷｅｂサーバのコンテンツを表示することができる。
【００３６】
尚、前記実施形態においては、機種情報管理サーバ５がキャリアに新機種情報の問い合わせを行ってＷｅｂサーバに対して新機種情報を提供する例を説明したが、本発明はこれに限られるものではなく、例えば携帯端末からＷｅｂサーバに対して機種情報の問い合わせがあり、当該Ｗｅｂサーバに新機種の機種情報が存在しない場合、このＷｅｂサーバからの要求によって機種情報管理サーバ５が全機種情報データベース６を検索してＷｅｂサーバに提供することや、前記全機種情報データベース６を検索しても該当の機種情報が存在しない場合にキャリアに問い合わせを行って機種情報を取得し、前述の変換を行ってからＷｅｂサーバに提供するように構成しても良い。
【００３７】
次いで機種情報管理サーバ５の新機種問合せ処理の詳細フローの詳細を図９を参照して説明する。
まず、機種情報管理サーバ５は、各キャリアの新たに発売される機種の携帯端末機種情報を毎日取得する為に、"新機種情報問合せ７１３"電文を作成（新機種情報フォーマット（図１２参照）をコンテンツ７０５へセット）する処理（ステップＳ９０１）を行い、次いで各キャリアに"新機種情報問合せ７１３"電文を送信（ステップＳ９０２）し、この"新機種情報問合せ結果"電文７１４受信を判定（ステップＳ９０３：電文受信イベントが発生するので、その時内容を確認）し、受信したとき、当該受信した"新機種情報問合せ結果"電文７１４のコンテンツ７０５の内容を調べ新機種発売有の場合、コンテンツ７０５に付加されている新機種情報を、全機種情報データベース６に格納されている全機種情報ファイルに統合すると共に各キャリアより受信した新機種情報のみをマージして保持する処理（ステップＳ９０４）を実行する。尚、新機種発売無しの場合、何もしない。
【００３８】
次いで機種情報管理サーバ５は、全てのキャリアから"新機種情報問合せ結果７１４"電文を受信したかを判定（ステップＳ９０５）し、全てのキャリアから"新機種情報問合せ結果７１４"電文を受信していない場合は前記ステップＳ９０３に戻り、全て受信と判定した場合、前記ステップＳ９０６及びＳ９０４で保持した新機種情報を、全機種情報データベース６のサイトデータファイルを参照し、配信形式が自動になっているＷｅｂサーバ名のサイト情報６０９に従い、機種情報ファイル（図１１参照のように、サイトの種類毎に内容が違う）を編集作成処理（ステップＳ９０６）する。
【００３９】
更に機種情報管理サーバ５は、機種情報ファイルをコンテンツ７０５にセットし且つ、ステップＳ９０６で検出したＷｅｂサーバ名のＷｅｂサーバＵＲＬをデスティネーションＩＰアドレス７０２にセットすることにより、"新機種情報配信７１５"電文を作成（ステップＳ９０７）し、これを"新機種情報配信７１５"電文を送信（ステップＳ９０８）し、この配信形式が自動になっているＷｅｂサーバ全てに送信したかを判定（ステップＳ９０９）し、全ての送信完了と判定したとき処理を終了する。
【００４０】
この様に本実施形態による機種情報管理サーバ５は、"新機種情報問合せ７１３"の電文を作成して全てのキャリアに対して問い合わせを行い、入手した新機種情報ファイルをコンテンツ７０５にセットして各Ｗｅｂサーバに配信する様に動作する。
【００４１】
次いで図１０を参照して機種情報管理サーバ５の機種問合せ応答処理の詳細フローを説明する。
この機種問合せ応答処理は、図１０に示す如く、電文受信イベントが発生した場合、電文のコマンド７０３が"機種情報問合せ７１８"電文か否かを判定（ステップＳ１００１）し、電文７１８でないと判定した場合は他の処理を実行し、電文７１８と判定したとき、受信した電文のコンテンツ７０５（図７）のＷｅｂサーバ名を基に全機種情報データベース６のサイトデータファイルを検索し、検出したＷｅｂサーバ名６０１のパスワード６０２とコンテンツ７０５のパスワードを比較し、一致した場合は、さらに有効フラグ６０４が有効（１）か否かを判定（ステップＳ１００２）する。
【００４２】
この判定によって有効フラグ６０４が無効（０）又はパスワードが一致しない又はＷｅｂサーバ名が検出できない場合、本システムは、"機種情報問合せ結果"電文７１９を作成（アクセス不可情報をコンテンツ７０５へセット）する処理（ステップＳ１００７）を実行し、有効フラグ６０４が有効「１」の場合、コンテンツ７０５の機種名を基に全機種情報データベース６の全機種情報ファイルを検索し機種情報を取得する処理（ステップＳ１００３）を実行し、取得した機種情報を、ステップＳ１００２で検出したＷｅｂサーバ名６０１のサイト情報６０９に従い、Ｗｅｂサーバへ配信する機種情報にファイル（図１１参照のように、サイトの種類毎に内容が異なる）を編集作成する処理（ステップＳ１００４）と、"機種情報問合せ結果７１９"電文を作成（機種情報ファイルをコンテンツ７０５へセット）する処理（ステップＳ１００５）とを実行する。
前記ステップＳ１００５又はステップＳ１００７に続いて本システムは、"機種情報問合せ結果"電文７１９を送信する処理（ステップＳ１００６）を実行して処理を終了する。
【００４３】
この様に本実施形態による機種情報配信システムは、機種情報管理サーバ５が、"機種情報問合せ"電文７１８の受信を契機としてコンテンツ７０５のＷｅｂサーバ名等が有効か否かを判定し、有効な場合、前記コンテンツ７０５に含まれる機種名をキーとして全機種情報データベース６を検索してＷｅｂサーバへ配信する新機種情報を編集し、これを電文７１９として各Ｗｅｂサーバに送信することによって、新機種情報をＷｅｂサーバに提供することができる。
【００４４】
また、本実施形態によれば、配信するサイト情報の種類、例えば、画像表示は不要且つ和音が必要な音楽サイトの特性、和音が不要な予約サイトの特性、和音／画像／絵文字／Ｊａｖａ（登録商標）アプリが必要な情報提供サイトの特性又はゲームサイトの特性を考慮した変換／編集処理を行って全機種情報データベースに格納するため、そのサイト情報の種類に応じたユーザにとっては必要且つ充分なコンテンツの提供を受けることができる。例えば、機種情報管理サーバがＷｅｂコンテンツのサイト情報の種類並びに機種情報に応じた配信形式に編集するとき、サイト情報の種類が音楽サイトの場合、"和音"情報を含み且つ"画像"情報を削除する配信形式に編集することにより、サイトのサイト情報の種類に応じたコンテンツを提供することができる。
【図面の簡単な説明】
【００４５】
【図１】本発明の一実施形態による機種情報配信システムの構成例図。
【図２】本実施形態によるＷｅｂサーバの機能ブロック図。
【図３】本実施形態による機種情報管理サーバの機能ブロック図。
【図４】本実施形態による全機種情報ファイル例図。
【図５】本実施形態による機種情報配信契約画面例図。
【図６】本実施形態による全機種情報データベースサイトデータファイル例図。
【図７】本実施形態による通信電文形式の例図。
【図８】本実施形態による機種情報管理サーバの一連の処理フロー図。
【図９】本実施形態による機種情報管理サーバの新機種問合せ処理フロー図。
【図１０】前記機種情報管理サーバの機種問合せ応答処理の詳細フロー図。
【図１１】本実施形態によるＷｅｂサーバ種類毎の機種情報ファイル例図。
【図１２】本実施形態による新機種情報フォーマットと新機種情報ファイル例図。
【図１３】本実施形態によるＷｅｂサーバのコンテンツのＷｅｂページ画面例図。
【図１４】本実施形態によるキーワードとサイト情報との対応表例図。
【符号の説明】
【００４６】
１及び２：Ｗｅｂサーバ、３及び４：機種情報データベース、５：機種情報管理サーバ、６：全機種情報データベース、７：データセンタ、８：携帯端末、９：ネットワーク、１０：キャリア・サイト・サーバ、１１１：アプリケーションソフト、１１３：通信制御部、１１４：入力制御部、１１５：表示制御部、１１６：コンテンツ制御部、１１７：機種情報管理部、１１８：コンテンツ変換部、２１１：アプリケーションソフト、２１３：通信制御部、２１４：機種情報制御部、２１５：新機種情報制御部、２１６：機種情報配信制御部、２１７：サイト情報制御部、４０１：日付フィールド、４０２：キャリア名フィールド、４０３：機種フィールド、４０４：ブラウザフィールド、４０５：画像フォーマットフィールド、４０６：表示サイズフィールド、４０７：表示文字数フィールド、４０８：絵文字フィールド、４０９：色数フィールド、４１０：キャッシュ容量フィールド、４１１：アプリフィールド、４１２：データサイズフィールド、４１３：和音フィールド、５００：機種情報配信契約画面、５０１：サーバ名入力エリア、５０２：入力エリア、５０３：クレジットカード会社表示エリア、５０４：ラジオボタン、５０５：クレジットカード番号入力エリア、５０６：カード有効期限入力エリア、５０７：メールアドレス入力エリア、５０８：確認用メールアドレス入力エリア、５０９：利用期間チェックマーク入力エリア、５１１：配信形式表示エリア、５１２：ラジオボタン、５１３：登録ボタン、５１４：キャンセルボタン、６０１：サーバ名、６０２：パスワード、６０４：有効フラグ、６０５：契約期間、６０６：クレジットカード会社名、６０７：クレジットカード番号、６０８：メールアドレス、６０９：サイト情報、７０１：アドレス、７０２：アドレス、７０３：コマンド、７０５：コンテンツ、７１１：ユーザ登録、７１２：ユーザ登録完了、７１３：新機種情報問い合わせ、７１４：新旧情報問合せ結果、７１５：新機種情報配信、７１６：アクセス要求、７１７：アクセス結果。
【図１】
2006304104.tif 000003
【図２】
2006304104.tif 000004
【図３】
2006304104.tif 000005
【図４】
2006304104.tif 000006
【図５】
2006304104.tif 000007
【図６】
2006304104.tif 000008
【図７】
2006304104.tif 000009
【図８】
2006304104.tif 000010
【図９】
2006304104.tif 000011
【図１０】
2006304104.tif 000012
【図１１】
2006304104.tif 000013
【図１２】
2006304104.tif 000014
【図１３】
2006304104.tif 000015
【図１４】
2006304104.tif 000016